(57)【要約】【課題】ポッティング剤封止作業が容易で、仕掛り製品一時保管条件が緩和する端子ボックス付太陽電池モジュールの製造方法を提供する【解決手段】以下の工程からなる製造方法である。イ．出力電線受容領域５４と回路領域５５からなる端子板を備えた端子ボックスを準備し、その筐体中に硬化第一ポッティング剤６１を形成する。端子板の回路領域５５と硬化第一ポッティング剤６１が接触し、出力電線受容領域５４が硬化第一ポッティング剤と隔離している部分封止端子ボックス２を作製する、ロ．部分封止端子ボックス２を太陽電池モジュール６に取り付け、太陽電池モジュールの出力電線１０を端子板５２の出力電線受容領域５４に接続する、ハ．部分封止端子ボックス２の筐体中に硬化第二ポッティング剤６２を形成する。前記端子板の出力電線受容領域と硬化第二ポッティング剤が接触している。【選択図】図２
2018148761.tif 000002
【特許請求の範囲】
【請求項１】
以下の工程からなる端子ボックス付太陽電池モジュールの製造方法。
イ．太陽電池モジュールの出力電線と外部接続ケーブルを中継する端子板を筐体内に有する端子ボックスであり、前記端子板は出力電線受容領域と回路領域からなり、前記回路領域に外部接続ケーブルを接続した端子ボックスを準備し、前記筐体に第一ポッティング剤を充填し、第一ポッティング剤を硬化して硬化第一ポッティング剤とする第一ポッティング剤充填工程であって、前記回路領域と硬化第一ポッティング剤が接触し、前記出力電線受容領域と硬化第一ポッティング剤が隔離している部分封止端子ボックスを作製する第一ポッティング剤充填工程、
ロ．前記部分封止端子ボックスを太陽電池モジュールに取り付け、太陽電池モジュールの出力電線を前記出力電線受容領域に接続する取り付け接続工程、
ハ．取り付け接続工程後に部分封止端子ボックスの筐体に第二ポッティング剤を充填し、第二ポッティング剤を硬化して硬化第二ポッティング剤とする第二ポッティング剤充填工程であって、前記筐体内で硬化第二ポッティング剤と前記出力電線受容領域が接触している第二ポッティング剤充填工程。
【請求項２】
第一ポッティング剤と第二ポッティング剤が同一のポッティング剤である請求項１に記載した端子ボックス付太陽電池モジュールの製造方法。
【請求項３】
太陽電池モジュールの端子ボックスにおいて、
筐体と、
前記筐体内に位置付けられた端子板と、
前記筐体内に位置付けられた硬化第一ポッティング剤と
外部接続ケーブルからなる端子ボックスであって、
前記端子板は回路領域と太陽電池モジュールの出力電線を接続するための出力電線受容領域からなり、前記回路領域に前記外部接続ケーブルを接続していて、
前記回路領域と硬化第一ポッティング剤が接触していて、
前記出力電線受容領域と硬化第一ポッティング剤が隔離している部分封止端子ボックス。
【請求項４】
太陽電池モジュールの出力を中継する端子ボックスにおいて、
底板と底板に取り付けられ底板から上方に向かう側壁に取り囲まれた内部空間を有する筐体と、
前記筐体内にある第一仕切板と、
前記筐体内にある延長板と、
前記筐体内にある端子板と、
前記筐体に空けられた出力電線挿入窓を有し、
前記側壁の一部は左側壁と右側壁であって、左側壁と右側壁は内部空間を間に挟んで対向していて、
第一仕切板は左辺が左側壁に接触し、右辺が右側壁に接触し、下辺が底板に接触していて、
前記延長板は第一仕切板の上方側延長面に位置し、前記延長板は下辺が仕切板の上辺と接触し、左辺が左側壁に接触し、右辺が右側壁に接触していて、
第一仕切板と前記延長板は前記内部空間を第二室と第一室に分画していて、
第一仕切板と前記延長板の境界の一部に篏合貫通部があり、
前記端子板は出力電線受容領域と回路領域を有し、
前記端子板は前記回路領域に外部接続ケーブルを接続していて、
前記端子板は前記篏合貫通部を貫通していて、前記出力電線受容領域が第二室に前記回路領域が第一室に位置付けられ、
前記出力電線挿入窓は第二室に開口している区画端子ボックス。
【請求項５】
請求項４に記載した端子ボックスにおいて
前記出力電線挿入窓が第二室の底板に開口している区画端子ボックス。
【請求項６】
太陽電池モジュールの出力を中継する端子ボックスにおいて、
底板と底板に取り付けられ底板から上方に向かう側壁に取り囲まれた内部空間を有する筐体と、
前記側壁の一部は左側壁と右側壁であって、左側壁と右側壁は内部空間を間に挟んで対向していて、
前記筐体内にある第二仕切板と、
前記筐体内にある端子板と、
前記筐体に空けられた出力電線挿入窓を有し、
第二仕切板は左辺が左側壁に接触し、右辺が右側壁に接触し、下辺が底板に接触していて、
第二仕切板は前記内部空間を第二室と第一室に分画していて、
前記端子板は出力電線受容領域と回路領域を有し、
前記端子板は前記回路領域に外部接続ケーブルを接続していて、
前記端子板は第二仕切板の上辺を乗り越えていて、乗り越え部分が端子板の尾根部を形成し、前記出力電線受容領域が第二室に位置付けられ、前記回路領域が第一室に位置付けられ、
前記尾根部の高さが側壁高さよりも低く、
前記回路領域の高さが前記尾根部の高さよりも低く、
前記出力電線受容領域の高さが前記尾根部の高さよりも低く、
前記出力電線挿入窓は第二室に開口している区画端子ボックス。
【請求項７】
請求項６に記載した端子ボックスにおいて
前記出力電線挿入窓が第二室の底板に開口している区画端子ボックス。
【発明の詳細な説明】
【技術分野】
【０００１】
本発明は、太陽電池モジュールと、太陽電池モジュールの出力電線と外部接続用のケーブルを電気的に中継する端子板が筐体内に配置された端子ボックスからなる端子ボックス付太陽電池モジュールの製造方法に関するものである。また本発明は、端子ボックス付太陽電池モジュールの製造に使用する部分封止端子ボックスに関するものであり、さらに部分封止端子ボックスの製造に使用する区画端子ボックスに関するものである。
【背景技術】
【０００２】
太陽電池モジュールで発電した電気出力を取り出すために端子ボックスが使用されている。
【０００３】
端子ボックスは、筐体内に配置した端子板、端子板に接続したケーブルなどからなる。
【０００４】
本願発明と明細書において「ケーブル」とは外部接続用の電線を意味し、「出力電線」とは太陽電池モジュールの電気出力を取り出す電線を意味する。
【０００５】
端子板の「出力電線受容領域」とは、端子板の一部領域であって、出力電線が接続される領域をいう。出力電線受容領域に出力電線が、半田付け等の接続手段で接続される。出力電線受容領域に予備半田（サービス半田と呼ぶこともある）が付着されていることもある。また出力電線受容領域に出力電線を捲回するための穴や切り欠き等が設けられていることもある。
【０００６】
端子板の「回路領域」とは、端子板の一部領域であって、ダイオード接続部、ケーブル接続部を総称する。ダイオード接続部とは端子板の一部分であってダイオードの電極を接続した部分をいう。ケーブル接続部とは端子板の一部分であって、ケーブルを接続した部分をいう。また、端子板が放熱板を兼ねる場合には、端子板の回路領域に当該放熱板も包含される。ここで放熱板は波形、ジグザグ形など平板形状よりも表面積を大きくする形状であったり、単なる平板形状であったりする。
【０００７】
従来、以下の工程で、太陽電池モジュールと端子ボックスを接続して、端子ボックス付太陽電池モジュールを製造している。
（１）太陽電池モジュールと端子ボックスを準備する。
（２）端子ボックスを太陽電池モジュールに取り付け、太陽電池の出力電線を端子板の出力電線受容領域に接続する。
（３）端子ボックスの内部空間にポッティング剤を充填し、これを硬化して内部空間を封止する。当該封止工程によって、出力電線受容領域と回路領域を含む端子板が当該硬化ポッティング剤に埋設される。
（４）必要に応じて端子ボックスの開口部に蓋を取り付ける。
（例えば、特許文献１参照）
【０００８】
封止に用いるポッティング剤は液体であって流動性があり、硬化するまでに一定の時間を必要とする。硬化するまでの時間の一例は２４時間（１液性のポッティング剤を室温条件下硬化する場合の例示）である。
【０００９】
端子ボックスをポッティング剤で封止するには、ポッティング剤の流動性などから、充填後硬化までの期間中端子ボックスを静止状態に保持する必要がある。また、ポッティング剤充填作業中と硬化待機期間中は端子ボックスの開口部を上方向に位置付ける必要がある。
【００１０】
一般的な太陽電池モジュールの寸法は、例えば、略１５００ｍｍ×略１０００ｍｍ×略５０ｍｍであり、重量略１５ｋｇである。太陽電池モジュールに端子ボックスを取り付けた状態で当該端子ボックスの開口部を上方向に位置付けて静止状態を保持するために、広い作業場所、大容量の静置場所等を必要としていた。このように、端子ボックス付太陽電池モジュールの製造には作業場所と仕掛り製品の一時保管に厳しい要求があった。
【００１１】
また、太陽電池モジュールがたとえて言うならば大寸法の欄外部分となり、端子ボックス付太陽電池モジュールを傾斜させたり振動を与えたりすることがむずかしく、端子ボックスの内部空間にポッティング剤を行き渡らせる作業がむずかしかった。さらに、太陽電池モジュールに付着した状態で端子ボックスを加温するには、大空間の加熱室が必要になることから、硬化に加温を必要とするポッティング剤の使用は困難であった。
【先行技術文献】
【特許文献】
【００１２】
【特許文献１】特開２０１２−６９５９３号公報
【発明の概要】
【発明が解決しようとする課題】
【００１３】
本発明は、作業性が向上し、仕掛り製品一時保管条件が緩和する端子ボックス付太陽電池モジュールの製造方法を提供することを課題とする。
【００１４】
また本発明は上記製造方法を実施するに好適な部分封止端子ボックスを得ることを課題とする。
【００１５】
さらに本発明は上記部分封止端子ボックスを製造するに好適な区画端子ボックスを得ることを課題とする。
【００１６】
本発明のその他の課題は、本発明の説明により明らかになる。
【課題を解決するための手段】
【００１７】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。
【００１８】
本発明の一の態様にかかる端子ボックス付太陽電池モジュールの製造方法は以下の工程からなる。
イ．太陽電池モジュールの出力電線と外部接続ケーブルを中継する端子板５２を筐体１１内に有する端子ボックスであり、前記端子板は出力電線受容領域５４と回路領域５５からなり、前記回路領域に外部接続ケーブル５７を接続した端子ボックスを準備し、前記筐体に第一ポッティング剤を充填し、第一ポッティング剤を硬化して硬化第一ポッティング剤６１とする第一ポッティング剤充填工程であって、前記回路領域５５と硬化第一ポッティング剤６１が接触し前記出力電線受容領域５４と硬化第一ポッティング剤が隔離している部分封止端子ボックス２を作製する第一ポッティング剤充填工程
ロ．前記部分封止端子ボックス２を太陽電池モジュール６に取り付け、太陽電池モジュールの出力電線１０を前記出力電線受容領域５４に接続する取り付け接続工程
ハ．取り付け接続工程後に部分封止端子ボックス２の筐体に第二ポッティング剤を充填し、第二ポッティング剤を硬化して硬化第二ポッティング剤６２とする第二ポッティング剤充填工程であって、前記筐体内で硬化第二ポッティング剤と前記出力電線受容領域５４が接触している第二ポッティング剤充填工程。
【００１９】
本発明にかかる端子ボックス付太陽電池モジュールの製造方法の好ましい実施態様にあって、第一ポッティング剤と第二ポッティング剤が同一のポッティング剤であってもよい。
【００２０】
本発明において、端子ボックスは、筐体内にケーブル接続した端子板を含む。また、端子ボックスは筐体内に１個以上のケーブル接続が無い端子板を含む場合がある。
【００２１】
本発明と本明細書にあって、上記２種の端子板を区別する場合には、ケーブル接続した端子板を「取り出し端子板」と称し、ケーブル接続が意図されずケーブル接続の無い端子板を「中間端子板」と称する。
【００２２】
本発明にかかる端子ボックス付太陽電池モジュールの製造方法にあって、端子ボックスを構成する端子板は取り出し端子板である。もっとも、端子ボックスは取り出し端子板に加えて、単数又は複数の中間端子板を具備するものであってもよい。中間端子板は、硬化第一ポッティング剤、硬化第二ポッティング剤との接触、隔離が取り出し端子板におけるこれらポッティング剤との接触、隔離と同一態様であってもよく、異なる態様であってもよい。もっとも同一態様であることが好ましい。
【００２３】
本発明にかかる部分封止端子ボックス２は、
太陽電池モジュールの端子ボックスにおいて、
筐体１１と、
前記筐体内に位置付けられた端子板５２と、
前記筐体内に位置付けられた硬化第一ポッティング剤６１と
外部接続ケーブル５７からなる端子ボックスであって、
前記端子板５２は回路領域５５と太陽電池モジュールの出力電線を接続するための出力電線受容領域５４からなり、前記回路領域に前記外部接続ケーブルを接続していて、
前記回路領域と硬化第一ポッティング剤が接触していて、
前記出力電線受容領域と硬化第一ポッティング剤が隔離している。
【００２４】
部分封止端子ボックスにあって、硬化第一ポッティング剤６１は筐体内に単一の塊として存在してもよく、また、筐体内に複数の塊として存在してもよい。硬化第一ポッティング剤６１の塊の個数は、端子板の領域に割り当てられた役割と複数端子板の相対配置に依存する。
【００２５】
端子板の先端領域が出力電線受容領域であり、残余の領域が回路領域であって、これらの端子板が互いの出力電線受領領域が隣り合い、互いの回路領域が隣り合う配置の端子ボックスにあっては硬化第一ポッティング剤６１の塊は、通常、１個である。当該端子板配置を持つ端子ボックスは、通常、太陽電池モジュールの裏面に取り付けられる。本明細書において、かような端子ボックスを裏面付着型端子ボックスと呼ぶ。
【００２６】
単一の端子板の中間領域が出力電線受容領域であり、両端に回路領域が割り当てられた端子板を、当該端子板の長手方向に一直線に配置した端子ボックスがある。両端に回路領域のある端子板の一例は、一方向端にケーブル接続部があり、他方端にダイオード接続部がある端子板である。このような端子板領域と端子板配置を有する端子ボックスにあっては、硬化第一ポッティング剤６１の塊は、通常、複数個である。当該端子板配置を持つ端子ボックスは、通常、太陽電池モジュールの端面に取り付けられる。本明細書において、かような端子ボックスを端面付着型端子ボックスと呼ぶ。
【００２７】
本発明にかかる部分封止端子ボックスにあって、端子板は取り出し端子板である。
【００２８】
本発明にかかる第一の区画端子ボックス４ａ、４ｃは、
太陽電池モジュールの出力を中継する端子ボックスにおいて、
底板２１と底板に取り付けられ底板から上方に向かう側壁に取り囲まれた内部空間１２を有する筐体１１と、
前記筐体内にある第一仕切板３１と、
前記筐体内にある延長板３６と、
前記筐体内にある端子板５２と、
前記筐体に空けられた出力電線挿入窓２７を有し、
前記側壁の一部は左側壁と右側壁であって、左側壁と右側壁は内部空間１２を間に挟んで対向していて、
第一仕切板３１は左辺が左側壁に接触し、右辺が右側壁に接触し、下辺が底板に接触していて、
前記延長板３６は第一仕切板の上方側延長面に位置し、前記延長板は下辺が仕切板の上辺と接触し、左辺が左側壁に接触し、右辺が右側壁に接触していて、
第一仕切板と前記延長板は前記内部空間１２を第二室１３と第一室１４に分画していて、
第一仕切板と前記延長板の境界の一部に篏合貫通部４３があり、
前記端子板は出力電線受容領域５４と回路領域５５を有し、
前記端子板は前記回路領域に外部接続ケーブル５７を接続していて、
前記端子板は前記篏合貫通部を貫通していて、前記出力電線受容領域５４が第二室１３に前記回路領域５５が第一室１４に位置付けられ、
前記出力電線挿入窓２７は第二室に開口している。
【００２９】
第一仕切板と延長板からなる仕切手段は、単一の端子ボックスに単数あってもよく、複数あってもよい。第一室は単一の端子ボックスに単数あってもよく、複数あってもよい。第二室は単一の端子ボックスに単数あってもよく、複数あってもよい。
【００３０】
本発明にかかる区画端子ボックスにあって、端子板は取り出し端子板である。もっとも、区画端子ボックスは取り出し端子板に加えて、１個以上の中間端子板を具備するものであってもよい。
【００３１】
本発明にかかる第一の区画端子ボックスの好ましい実施態様にあって、前記出力電線挿入窓２７が第二室の底板に開口していてもよい。裏面付着型端子ボックスは端面付着型端子ボックスに比較して内部空間の容量が大きくポッティング剤が多量必要だから、ポッティング剤封止を２つの作業に分割する利点がより一層大きくなる。
【００３２】
本発明にかかる第二の区画端子ボックス４ｂ、４ｄは、
太陽電池モジュールの出力を中継する端子ボックスにおいて、
底板２１と底板に取り付けられ底板から上方に向かう側壁に取り囲まれた内部空間１２を有する筐体１１と、
前記側壁の一部は左側壁と右側壁であって、左側壁と右側壁は内部空間を間に挟んで対向していて、
前記筐体内にある第二仕切板７１と、
前記筐体内にある端子板５２と、
前記筐体に空けられた出力電線挿入窓２７を有し、
第二仕切板７１は左辺が左側壁に接触し、右辺が右側壁に接触し、下辺が底板に接触していて、
第二仕切板は前記内部空間１２を第二室１３と第一室１４に分画していて、
前記端子板は出力電線受容領域５４と回路領域５５を有し、
前記端子板は回路領域に外部接続ケーブル５７を接続していて、
前記端子板は第二仕切板７１の上辺７５を乗り越えていて、乗り越え部分が端子板の尾根部７６を形成し、出力電線受容領域が第二室に位置付けられ、回路領域が第一室に位置付けられ、
前記尾根部の高さが側壁高さよりも低く、
前記回路領域の高さが前記尾根部の高さよりも低く、
前記出力電線受容領域の高さが側壁の高さよりも低く、
出力電線挿入窓２７は第二室１３に開口している。
【００３３】
第二仕切板は、単一の端子ボックスに単数あってもよく、複数あってもよい。第一室は単一の端子ボックスに単数あってもよく、複数あってもよい。第二室は単一の端子ボックスに単数あってもよく、複数あってもよい。
【００３４】
本発明にかかる第二の区画端子ボックスの好ましい実施態様にあって、前記出力電線挿入窓２７が第二室の底板に開口していてもよい。裏面付着型端子ボックスは端面付着型端子ボックスに比較して内部空間の容量が大きくポッティング剤が多量必要だから、ポッティング剤封止を２つの作業に分割する利点がより一層大きくなる。
【００３５】
本発明にかかる区画端子ボックスにあって、端子板は取り出し端子板である。もっとも、区画端子ボックスは取り出し端子板に加えて、１個以上の中間端子板を具備するものであってもよい。
【００３６】
以上説明した本発明、本発明の好ましい実施態様、これらに含まれる構成要素は可能な限り組み合わせて実施することができる。
【発明の効果】
【００３７】
本発明は、その他の発明特定事項に加えて、太陽電池モジュールに部分封止端子ボックスを取り付けて当該部分封止端子ボックス筐体内部の空隙に第二ポッティング剤を充填しこれを硬化する第二ポッティング剤充填工程を含む端子ボックス付太陽電池モジュールの製造方法である。
【００３８】
部分封止端子ボックス内に既に存在する第一ポッティング剤の容積相当量だけ、封止作業に必要な第二ポッティング剤の量が減るので、太陽電池モジュールというあたかも大型の輪郭部分が付属した端子ボックスへのポッティング剤充填作業が容易となる。また、小体積の空隙中に充填された第二ポッティング剤は短時間で流動性を事実上消失するので、太陽電池モジュールを含み大型で重い仕掛品の静置時間が減少する。
【００３９】
本発明の部分封止端子ボックスは、その他の発明特定事項に加えて、筐体内に位置付けられて端子板の回路領域と接触している硬化第一ポッティング剤を有し、また、端子板の出力電線受容領域が硬化第一ポッティング剤と隔離している。部分封止端子ボックスは本発明にかかる端子ボックス付太陽電池モジュールの製造方法実施に用いる端子ボックスである。
【００４０】
部分封止端子ボックスの製造にあって、第一ポッティング剤充填作業は比較的小型で軽い端子ボックスへの第一ポッティング剤充填となるから、端子ボックスを傾斜させたり、振動を与えたりすることが容易で、作業が簡単になる。内部空間にポッティング剤が行き渡るから、良好製品の比率が向上する。
【００４１】
部分封止端子ボックスに使用する第一ポッティング剤は、回路領域に接触している。回路領域は発熱源であるダイオードが取り付けられている領域である。加えて第一ポッティング剤は出力電線受容領域と隔離しているから、端子板全体を埋め込んで筐体を封止する従来のポッティング剤より使用量が減少する。このため容量当たりの単価が高価であっても熱伝導性に優れるポッティング剤を第一ポッティング剤に選定する選択も可能となる。
【００４２】
本発明にかかる一の区画端子ボックスは、その他の発明特定事項に加えて、筐体内部空間を第二室と第一室に区画する第一仕切板と延長板を有する。第一室に端子板の回路領域が位置付けられているから、第一室に第一ポッティング剤を充填すると部分封止端子ボックスとなる。この区画端子ボックスは部分封止端子ボックスを作成するに好適な端子ボックスである。
【００４３】
本発明にかかる他の区画端子ボックスは、その他の発明特定事項に加えて、筐体内部空間を第二室と第一室に分画する第二仕切板を有する。端子板は第二仕切板の上辺を乗り越えていて、出力電線受容領域が第二室に、回路領域が第一室に位置付けられているから、第一室に第一ポッティング剤を充填すると部分封止端子ボックスとなる。この区画端子ボックスは部分封止端子ボックスを作成するに好適な端子ボックスである。
【図面の簡単な説明】
【００４４】
【図１】図１は太陽電池モジュールを、その受光面を上に配置して描いた説明図である。
【図２】図２は端子ボックス付太陽電池モジュールの製造方法の説明図であり、図２（ａ）は、部分封止端子ボックスの斜視図であり、図２（ｂ）は太陽電池モジュールを、その裏面を上に配置して描いた斜視図であり、図２（ｃ）は取り付け接続工程を行った直後の部分封止端子ボックス付太陽電池モジュールの斜視図であり、図２（ｄ）は第二ポッティング剤充填工程を行った後の（全体封止）端子ボックス付太陽電池モジュールの斜視図である。
【図３】図３は第一区画端子ボックスの説明図であり、図３（ａ）は延長板設置前の第一区画端子ボックスの斜視図であり、図３（ｂ）は延長板設置後の第一区画端子ボックスの斜視図である。
【図４】図４は第一区画端子ボックスの説明図であり、図４（ａ）は平面図、図４（ｂ）は底面図である。
【図５】図５は第一区画端子ボックスにおける第一仕切板、延長板と端子板の配置説明図である。
【図６】図６は第一区画端子ボックスにおける筐体の平面図である。
【図７】図７は第一部分封止端子ボックスの説明図であり、図７（ａ）は平面図、図７（ｂ）はＡ−Ａ平面における断面図である。
【図８】図８は第二区画端子ボックスの説明図であり、図８（ａ）は平面図、図８（ｂ）はＢ−Ｂ平面における断面図、図８（ｃ）は底面図である。
【図９】図９は第二区画端子ボックスにおける第二仕切板と端子板の配置説明図である。
【図１０】図１０は第二部分封止端子ボックスの説明図であり、図１０（ａ）は平面図、図１０（ｂ）はＣ−Ｃ平面における断面図である。
【図１１】図１１は第三区画端子ボックスの説明図であり、図１１（ａ）は延長板設置前の第三区画端子ボックスの斜視図であり、図１１（ｂ）は延長板設置後の第三区画端子ボックスの斜視図である。
【図１２】図１２は第三区画端子ボックスの説明図であり、図１２（ａ）は平面図、図１２（ｂ）はＤ−Ｄ平面における断面図、図１２（ｃ）は側面図である。
【図１３】図１３は第三部分封止端子ボックスの説明図であり、図１３（ａ）は平面図、図１３（ｂ）はＥ−Ｅ平面における断面図である。
【図１４】図１４は第三部分封止端子ボックスと太陽電池モジュールからなる端子ボックス付太陽電池モジュールの製造方法に関し、取り付け接続工程後の部分封止端子ボックス付太陽電池モジュールの底面図である。
【図１５】図１５は第四区画端子ボックスの説明図であり、図１５（ａ）は平面図、図１５（ｂ）はＦ−Ｆ平面における断面図、図１５（ｃ）は側面図である。
【図１６】図１６は第四部分封止端子ボックスの説明図であり、図１６（ａ）は平面図、図１６（ｂ）はＧ−Ｇ平面における断面図である。
【発明を実施するための形態】
【００４５】
以下、図面を参照して本発明の実施例にかかる端子ボックス付太陽電池モジュールの製造方法、部分封止端子ボックスと区画端子ボックスをさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００４６】
図１は太陽電池モジュールの説明図である。太陽電池モジュール６は受光面を上に配置して図示している。太陽電池モジュール６は太陽電池パネル８と、太陽電池パネル８を支持する枠状でアルミニウム製の支持フレーム９からなる。太陽電池パネル８は、多数の太陽電池セル７が前面カバー部材と裏面カバー部材との間に挟まれて、両カバー部材間に注入された樹脂により封止されている。
【００４７】
＜端子ボックス付太陽電池モジュール１の製造方法＞
図２は端子ボックス付太陽電池モジュール１の製造方法の説明図である。図２（ａ）は部分封止端子ボックス２の斜視図である。
【００４８】
筐体１１内に取り出し端子板５２を有する部分封止端子ボックス２を準備する。取り出し端子板５２は出力電線受容領域５４と回路領域５５を有する。回路領域５５は、ケーブル接続部とダイオード接続部の総称である。端子板を橋絡するダイオードは図示を省略している。回路領域５５については、後述の第一区画端子ボックス４ａで再度説明する。
【００４９】
回路領域５５のケーブル接続部にケーブル５７が接続されている。ケーブル５７の他端は筐体１１の外部に導出されている。
【００５０】
部分封止端子ボックス２は２個の取り出し端子板５２を有している。また、部分封止端子ボックス２は２個の中間端子板５３を有している。本発明にあって部分封止端子ボックスは任意の個数の中間端子板があってもよく、また、中間端子板がなくてもよい。
【００５１】
部分封止端子ボックス２は第一ポッティング剤を充填したものである。第一ポッティング剤は筐体内部空間の一部分に充填する。充填時に第一ポッティング剤は流動体であるから、一部分に充填するために内部空間を分画する分画手段が必要である。
【００５２】
分画手段は、
（１）筐体と一体形成されて分離不可能な仕切板、
（２）筐体と分離していて、充填作業の前に筐体に設置する壁形成治具、
のどちらでもよい。また、（２）に述べた壁形成治具は、第一ポッティング剤の硬化後に筐体内に存置されてもよく、硬化後に筐体から取り除いてもよい。
【００５３】
第一ポッティング剤は分画手段で分画された筐体内部空間の第一室（図２に図示した端子ボックスにあってはケーブル側の分画室）に充填し、硬化第一ポッティング剤６１とする。硬化は、室温放置、加温、電離放射線照射等で行う。
【００５４】
硬化第一ポッティング剤６１は取り出し端子板５２の回路領域５５と接触している。硬化第一ポッティング剤６１は取り出し端子板５２の出力電線受容領域５４と隔離している。すなわち硬化第一ポッティング剤６１は取り出し端子板５２を部分的に封止していて、その回路領域５５が封止され、その出力電線受容領域５４は硬化第一ポッティング剤６１と隔離していて出力電線を接続可能な状態にある。
【００５５】
硬化第一ポッティング剤６１は中間端子板５３の回路領域と接触している。硬化第一ポッティング剤６１は中間端子板５３の出力電線受容領域５４と隔離している。
【００５６】
部分封止端子ボックス２の底面にあって、取り出し端子板５２の出力電線受容領域５４と中間端子板５３の出力電線受容領域５４に対面する底面部分に出力電線挿入窓２７が空けてある。
【００５７】
図２（ｂ）に太陽電池モジュール６の裏面側を図示している。太陽電池モジュール６の裏面に出力電線１０が導出されている。
【００５８】
次に部分封止端子ボックス２を太陽電池モジュール６に位置付ける。このとき出力電線１０を、出力電線挿入窓２７を通して筐体の第二室１３に導き入れる。そして出力電線１０を取り出し端子板５２の出力電線受容領域５４に接続する。接続手段は半田付け、溶接、挟み付け等公知の手段である。また、出力電線１０を中間端子板５３の出力電線受容領域５４に接続する。
【００５９】
部分封止端子ボックス２における取り出し端子板５２の出力電線受容領域５４と中間端子板５３の出力電線受容領域５４は硬化第一ポッティング剤６１と隔離していて遊離状態にあるから、出力電線１０の接続作業は従来の端子ボックスにおける接続作業と同様に行うことができる。
【００６０】
出力電線の接続の後または前に、部分封止端子ボックス２を太陽電池モジュール６に取り付ける。取り付けは、図２（ｃ）に図示した状態、すなわち、部分封止端子ボックス２の底板が太陽電池モジュール６の裏面カバー部材に対面する状態にして行う。取り付けの手段は、接着、粘着、接着と粘着の併用等である。
【００６１】
取り付け接続工程の後に、取り出し端子板５２の出力電線受容領域５４と中間端子板５３の出力電線受容領域５４を第二ポッティング剤で封止する。取り出し端子板５２の出力電線受容領域５４と中間端子板５３の出力電線受容領域５４は、部分封止端子ボックス２の第二室１３にある。第二室１３の底板に空いている出力電線挿入窓２７は直下にある太陽電池モジュール６の底面カバー部材により閉じられている。
【００６２】
第二室１３に第二ポッティング剤を充填し硬化する。硬化は、室温放置、加温、電離放射線照射等により行う。
【００６３】
こうして製造された（全体封止）端子ボックス付太陽電池モジュール１を図２（ｄ）に示している。端子ボックス付太陽電池モジュール１は、太陽電池モジュール６と全体封止端子ボックス３からなる。全体封止端子ボックス３は、第一室１４に位置付けられた硬化第一ポッティング剤６１と第二室１３に位置付けられた硬化第二ポッティング剤６２を含む。
【００６４】
硬化第二ポッティング剤６２は出力電線１０と接触しこれを封止している。硬化第二ポッティング剤６２は取り出し端子板５２の出力電線受容領域５４と接触しこれを封止している。硬化第二ポッティング剤６２は出力電線１０と出力電線受容領域の接続部分と接触しこれを封止している。
【００６５】
硬化第二ポッティング剤６２は同様に中間端子板５３の出力電線受容領域５４、これと接続した出力電線１０及び相互接続部分と接触しこれを封止している。
【００６６】
全体封止端子ボックス３の上に、必要に応じて蓋が付けられる。蓋は図示していない。
【００６７】
第一ポッティング剤、第二ポッティング剤は、エポキシ樹脂、ポリウレタン樹脂、シリコン樹脂等からなる。これらのポッティング剤は筐体の内部に配置する各部材と接続部分を気密に封止することで湿気、雨水、埃等の侵入を防止し、その腐食や劣化、衝撃による破損を防止し、絶縁性を維持するものであり、またダイオードからの発熱を伝導放熱する役割がある。
【００６８】
第一ポッティング剤と第二ポッティング剤は同一であってもよく、異なっていてもよい。
【００６９】
第一ポッティング剤はダイオードを封止するから、熱伝導に優れるものを選択するとよい。また、第一室は端子板の下部に空間があるなど比較的複雑な形状なので第一ポッティング剤は充填空間に行き渡る性質に優れるものを選択するとよい。
【００７０】
第二ポッティング剤は太陽電池モジュールと一体化した端子ボックスを封止するので、硬化時間の短い性質を持つものを選択するとよい。
【００７１】
第一ポッティング剤と第二ポッティング剤が同一であっても、従来単一作業で行っていた封止作業を、端子ボックス単体での部分封止作業と太陽電池モジュールと一体化した後の残存部分封止作業という２の作業に分割して行うことによる本発明の種々の利点の中で、封止作業容易化と静置条件緩和という利点は保持される。
【００７２】
＜第一区画端子ボックス４ａ＞
図３は第一区画端子ボックス４ａの説明図であり、図３（ａ）は延長板設置前の第一区画端子ボックスの斜視図であり、図３（ｂ）は延長板３６設置後の第一区画端子ボックスの斜視図である。図４は第一区画端子ボックス４ａの説明図であり、図４（ａ）は平面図、図４（ｂ）は底面図である。
【００７３】
図５は第一区画端子ボックスにおける第一仕切板３１ａ、延長板３６ａと端子板の配置説明図である。図６は第一区画端子ボックスにおける筐体の平面図である。
【００７４】
第一区画端子ボックス４ａは、概要を述べれば、第一仕切板３１ａと延長板３６ａが、筐体１１の内部空間１２を第一室１４と第二室１３に区画している。端子板５２ａ、５３ａが、第一仕切板３１ａと延長板３６ａを貫通していて、出力電線受容領域５４が第二室１３に位置付けられ、回路領域５５が第一室１４に位置付けられている。第一区画端子ボックス４ａは裏面付着型端子ボックスである。
【００７５】
以下、第一区画端子ボックス４ａを説明する。
【００７６】
第一区画端子ボックス４ａは直方体の内部空間１２を有する筐体１１からなる。筐体１１は底板２１と底板２１に取り付けられていて底板２１から上方に向かう側壁２３、２４、２５、２６を有する。筐体１１は通常、合成樹脂で作られる。
【００７７】
第一区画端子ボックスについて、その前後を矢印９１が示す方向として先端側を前とし、その左右を矢印９２が示す方向として先端側を左とし、その上下を矢印９３が示す方向として先端側を上とする。これら３軸と方向は第二区画端子ボックス４ｂについても同様とし、また端子ボックス付太陽電池モジュール１における部分封止端子ボックス２ａ、２ｂと全体封止端子ボックス３についても同様とする。
【００７８】
側壁は底板１１を取り囲んでいて、左側に左側壁２３、右側に右側壁２４がある。ケーブル５７が後側壁２６を貫通している。左側壁２３と右側壁２４は内部空間１２を間に挟んで対向している。
【００７９】
筐体１１の中に第一仕切板３１ａがある。第一仕切板３１ａは長方形の板であり、筐体１１内で上下方向に立設されている。第一仕切板３１ａは左辺３２が左側壁２３に接触し、右辺３３が右側壁２４に接触し、下辺３４が底板２１に接触している。第一仕切板３１ａは筐体１１と一体であってもよく、別個の第一仕切板を筐体に組み込むものであってもよい。第一仕切板３１ａは筐体１１と一体成形することが好ましい。一体の場合、上記した用語「接触」は「連結」と表現することができる。
【００８０】
第一仕切板３１ａが筐体１１と別個の場合には、筐体１１の内部に第一仕切板の位置を決定し、また移動を規制するための溝や柱を設置することが好ましい。
【００８１】
第一仕切板３１ａの上方延長面に延長板３６ａがある。延長板３６ａは長方形の板であり、下辺３９は切欠き４４を有する。第一仕切板３１ａの上辺３５と延長板３６ａの下辺３９は境界４２で密着し、また、切欠き４４と第一仕切板３１ａの上辺３５は嵌合貫通部４３を形成する。
【００８２】
延長板３６ａの左側面と右側面は筐体１１の内壁に設けられた溝４１に嵌合している。溝４１は延長板３６ａの位置を決定し、また前後方向への移動を規制する。延長板３６ａは左辺３７が左側壁２３に接触し、右辺３８が右側壁２４に接触している。
【００８３】
嵌合貫通部４３は端子板５２ａ、５３ａが貫通する位置である。第一区画端子ボックスの製造にあっては、第一仕切板３１ａの上辺３５上に端子板５２ａ、５３ａを配置し、上から延長板３６ａを位置付ける。
【００８４】
嵌合貫通部を設けるために、第一仕切板の上辺に切欠きを形成してもよく、第一仕切板の上辺と延長板の下辺の両者に切欠きを形成してもよい。
【００８５】
延長板上辺４０の高さは、側壁２３、２４、２５、２６の上端面高さと等しいか、または低い。
【００８６】
筐体１１の側壁は、通常、前側、後側、左側、右側で高さが同一であるから、上述の延長板上辺４０の高さとの比較は側壁の高さと表現した。もし、何らかの理由で側壁の高さが異なる場合には、最も低い部分の側壁高さを比較対象とする。
【００８７】
第一区画端子ボックス４ａは４個の端子板を持ち、両端に在る２個の端子板が取り出し端子板５２ａである。取り出し端子板５２ａの間に在る２個の端子板は中間端子板５３ａである。端子板５２ａ、５３ａは、その長手方向を前後方向に向けて配置されている。
【００８８】
取り出し端子板５２ａは後部にケーブル５７を接続している。取り出し端子板５２ａは前部に出力電線受容領域５４がある。中間端子板５３ａは前方端部に出力電線受容領域５４がある。中間端子板５３ａはケーブルの接続が無い。
【００８９】
端子板５２ａ、５３ａをダイオード５８が連結している。ダイオード５８は電極である２本の電線を各々、端子板５２ａ、５３ａに空けた穴であるダイオード接続部６８に入れて、半田付けして端子板５２ａ、５３ａと接続し、ダイオード素子部分を端子板５２ａ、５３ａに載置している。
【００９０】
端子板５２ａ、５３ａは放熱板５６を有する。図示した第一区画端子ボックス４ａにあって放熱板５６は端子板の一部分であり、平板形状である。放熱板は端子板と別体であってもよい。端子板と一体の放熱板は、波形状、ジグザグ形状等であってもよい。
【００９１】
端子板５２ａ、５３ａの材質は、例えば、黄銅、銅などである。
【００９２】
取り出し端子板５２ａの回路領域５５はケーブル接続部６７、ダイオード接続部６８と放熱板５６からなる。取り出し端子板５２ａは、出力電線受容領域５４と残余の領域である回路領域５５からなる。出力電線受容領域５４と回路領域５５の境界線は取り出し端子板５２ａと第一仕切板３１ａが接触して作る線分である。
【００９３】
中間端子板５３ａの回路領域５５はダイオード接続部６８と放熱板５６からなる。中間端子板５３ａは出力電線受容領域５４と残余の領域である回路領域５５からなる。出力電線受容領域５４と回路領域５５の境界線は中間端子板５３ａと第一仕切板３１ａが接触して作る線分である。
【００９４】
回路領域５５の高さは延長板上辺４０の高さよりも低い。流体形状の第一ポッティング剤を充填することにより封止するからである。回路領域５５に、半田の堆積物など端子板の上面よりも高くなる部分が予想される場合は、当該場所の高さが延長板上辺の高さよりも低くなるようにする。
【００９５】
出力電線受容領域５４の高さは側壁の高さよりも低い。流体形状の第二ポッティング剤を充填することにより封止するからである。出力電線受容領域５４に、半田の堆積物など端子板の上面よりも高くなる部分が予想される場合は、当該場所の高さが側壁の高さよりも低くなるようにする。
【００９６】
端子板と別体の放熱板が存在する場合における当該放熱板の上端高さ、ダイオードの上端高さやケーブルの上端高さは、側壁の高さよりも低くなるように設計する。従来のポッティング剤封止端子ボックスと同様に、これらを埋設し封止するためである。
【００９７】
底板２１は出力電線挿入窓２７ａを有する。出力電線挿入窓２７ａは出力電線受容領域５４に対面する開口部である。
【００９８】
端子板５２ａ、５３ａは台座１６、枕１８と第一仕切板３１ａに載置されていて、底板２１から浮いた状態にある（図６参照）。突起１７は端子板５２ａ、５３ａにある空孔５９に入り込んで、端子板５２ａ、５３ａの動きを規制する。突起１７の上端にバネ座金を付けたり、拡径したりして端子板５２ａ、５３ａの上下移動を規制してもよい。
【００９９】
＜第一部分封止端子ボックス２ａ＞
図７は第一部分封止端子ボックス２ａの説明図であり、図７（ａ）は平面図、図７（ｂ）はＡ−Ａ平面における断面図である。
【０１００】
第一区画端子ボックス４ａの第一室１４に第一ポッティング剤を充填し、これを硬化して硬化第一ポッティング剤６１として第一部分封止端子ボックス２ａが製造される。
【０１０１】
第一室１４に位置する端子板５２ａ、５３ａの回路領域５５は硬化第一ポッティング剤６１と接触している。図７（ａ）にあって硬化第一ポッティング剤６１に埋もれている部分、部品の図示は省略している。
【０１０２】
取り出し端子板５２ａにあって第一室１４に入っている部分は、硬化第一ポッティング剤６１に封止されている。当該封止部分は、ケーブル接続部、ダイオード接続部と放熱板である。
【０１０３】
中間端子板５３ａにあって第一室１４に入っている部分は、硬化第一ポッティング剤６１に封止されている。当該封止部分は、ダイオード接続部と放熱板である。
【０１０４】
端子板５２ａ、５３ａは筐体内で底板から浮いた状態にあるから、回路領域５５の上面側と下面側及び端面が硬化第一ポッティング剤６１に取り囲まれている。
【０１０５】
第一ポッティング剤充填は第一区画端子ボックス４ａ単体で行うから、第一区画端子ボックス４ａを傾けたり、軽くたたいたり、振動させたり等が容易となり、充填作業が容易となる。
【０１０６】
端子板５２ａ、５３ａの出力電線受容領域５４は第二室１３に存在する。第二室１３は第一仕切板３１ａと延長板３６ａによって第一室１４と区画されている。このため第一室１４に充填された第一ポッティング剤は第二室１３に浸入しない。
【０１０７】
第一部分封止端子ボックス２ａにあって端子板５２ａ、５３ａの出力電線受容領域５４は硬化第一ポッティング剤６１と隔離している。
【０１０８】
＜第二区画端子ボックス４ｂ＞
第二区画端子ボックス４ｂを説明する。
【０１０９】
図８は第二区画端子ボックス４ｂの説明図であり、図８（ａ）は平面図、図８（ｂ）はＢ−Ｂ平面における断面図、図８（ｃ）は底面図である。図９は第二区画端子ボックスにおける第二仕切板７１ｂと端子板の配置説明図である。
【０１１０】
第二区画端子ボックス４ｂは、概要を述べれば、筐体内部空間を前後に分画する第二仕切板７１ｂを有し、端子板は第二仕切板の上辺を乗り越えていて、出力電線受容領域が第二室に、回路領域が第一室に位置付けられている。第二区画端子ボックス４ｂは裏面付着型端子ボックスである。
【０１１１】
第二区画端子ボックス４ｂにおける筐体、その構成、端子板の部分、端子板の役割り領域の配置等は第一区画端子ボックス４ａにおける筐体などと同一である。第二区画端子ボックス４ｂの説明図にあって、第一区画端子ボックス４ａと同一部材、同一部分に同一符号を付している。
【０１１２】
筐体１１の中に第二仕切板７１ｂがある。第二仕切板７１ｂは長方形の板であり、筐体１１内で上下方向に立設されている。第二仕切板７１ｂは左辺７２が左側壁２３に接触し、右辺７３が右側壁２４に接触し、下辺７４が底板２１に接触している。第二仕切板７１ｂは筐体１１と一体であってもよく、別個の第二仕切板７１ｂを筐体に組み込むものであってもよい。第二仕切板７１ｂは筐体１１と一体に作ることが好ましい。
【０１１３】
第二仕切板７１ｂは筐体１１の内部空間を第二室１３と第一室１４に区画している。
【０１１４】
第二区画端子ボックス４ｂは２個の取り出し端子板５２ｂと２個の中間端子板５３ｂを有する。端子板５２ｂ、５３ｂはその長手方向が前後方向に向いて配置されている。
【０１１５】
端子板５２ｂ、５３ｂは、第二仕切板７１ｂとの交差部分が上を凸に折り曲げてあり、尾根部７６が第二仕切板７１ｂの上辺７５の上を乗り越えている。すなわち端子板５２ｂ、５３ｂはその尾根部７６で第二仕切板７１ｂと立体交差している。交差部分では端子板５２ｂ、５３ｂが上に位置し、尾根部７６を形成している。
【０１１６】
端子板５２ｂ、５３ｂの出力電線受容領域５４が第二室１３に位置付けられている。端子板５２ｂ、５３ｂの回路領域５５が第一室に位置付けられている。
【０１１７】
端子板５２ｂ、５３ｂの出力電線受容領域５４と回路領域５５の境界は尾根部７６である。
【０１１８】
第二区画端子ボックス４ｂに第一ポッティング剤が充填されて第二部分封止端子ボックス２ｂとなり、さらに第二ポッティング剤が充填されて全体封止端子ボックスとなった時に、尾根部７６は第二ポッティング剤に封止される。
【０１１９】
尾根部７６の上端は、側壁の上端よりも低い。つまり矢印８３で示す尾根部の高さは、矢印８１で示す側壁の高さよりも低い。高さの差は、通常、２ｍｍ以上５ｍｍ以下である。第二ポッティング剤による尾根部７６の埋設を確実にするためである。なお、尾根部は第一ポッティング剤表面の上方に位置するので、第一ポッティング剤によって埋設されない。
【０１２０】
筐体１１の側壁は、通常、前側、後側、左側、右側で高さが同一であるから、上述の尾根部の高さとの比較では側壁の高さと表現した。もし、何らかの理由で側壁の高さが異なる場合には、最も低い部分の側壁高さとする。以下に述べる側壁の高さについても同様である。
【０１２１】
矢印８４で示す回路領域の高さは、矢印８２で示す第二仕切板の高さよりも低くする。高さの差は、通常、２ｍｍ以上５ｍｍ以下である。第一ポッティング剤に埋もれるようにするためである。回路領域５５に、半田の堆積物など端子板の上面よりも高くなる部分が予想される場合は、当該場所の高さを第二仕切り板の高さ（矢印８２）よりも低くする。
【０１２２】
矢印８５で示す出力電線受容領域の高さは、矢印８１で示す側壁の高さよりも低くする。高さの差は、通常、２ｍｍ以上５ｍｍ以下である。第二ポッティング剤に埋もれるようにするためである。
【０１２３】
高さを示す矢印８１、８２、８３、８４、８５にあっては底板の上面２１１を基準面とした。
【０１２４】
端子板と別体の放熱板が存在する場合における当該放熱板の上端高さ、ダイオードの上端高さやケーブルの上端高さは、側壁の高さよりも低くなるように設計する。従来のポッティング剤封止端子ボックスと同様である。その理由はこれらを埋設し封止するためである。
【０１２５】
底板２１にあって、端子板の出力電線受容領域５４に対面する部分に出力電線挿入窓２７ｂが空いている。
【０１２６】
＜第二部分封止端子ボックス２ｂ＞
図１０は第二部分封止端子ボックス２ｂの説明図であり、図１０（ａ）は平面図、図１０（ｂ）はＣ−Ｃ平面における断面図である。第二部分封止ボックス２ｂの説明図にあって、第一部分封止端子ボックス２ａと同一部材、同一部分に同一符号を付している。
【０１２７】
第二区画端子ボックス４ｂの第一室１４に第一ポッティング剤を充填し、これを硬化して硬化第一ポッティング剤６１として第二部分封止端子ボックス２ｂが製造される。
【０１２８】
第一室１４を取り巻いている縦壁構造物の中で最も低いものは第二仕切板７１ｂであるから、硬化第一ポッティング剤６１の上面高さは第二仕切板の高さ８２に等しい。第一室１４の上部は、第一ポッティング剤未充填空間である第一室マージン８６である。端子板５２ｂ、５３ｂの尾根部７６は硬化第一ポッティング剤６２から露出している。
【０１２９】
第一室１４に位置する端子板５２ｂ、５３ｂの回路領域５５は硬化第一ポッティング剤６１に埋もれている。換言すれば、回路領域５５は硬化第一ポッティング剤６１と接触している。図１０（ａ）にあって、硬化第一ポッティング剤６１に埋もれている部分、部品は図示を省略している。
【０１３０】
取り出し端子板５２ｂにあって第一室１４に位置付けられている部分は、硬化第一ポッティング剤６１に封止されている。当該封止部分は、ケーブル接続部、ダイオード接続部と放熱板である。中間端子板５３ｂにあって第一室１４に位置付けられている部分は、硬化第一ポッティング剤６１に封止されている。当該封止部分は、ダイオード接続部と放熱板である。
【０１３１】
端子板５２ｂ、５３ｂは筐体内で底板から浮いた状態にあるから、回路領域５５の上面側と下面側及び端面が硬化第一ポッティング剤６１に取り囲まれている。
【０１３２】
第一ポッティング剤充填作業は第二区画端子ボックス４ｂ単体で行うから、第二区画端子ボックス４ｂを傾けたり、軽くたたいたり、振動させたり等が容易となり、充填作業が容易となる。
【０１３３】
端子板５２ｂ、５３ｂの出力電線受容領域５４は第二室１３に存在する。第二室１３は第二仕切板７１ｂによって第一室１４と区画されている。このため第一室１４に充填された第一ポッティング剤は第二室１３に浸入しない。
【０１３４】
第二部分封止端子ボックス２ｂにあって端子板５２ｂ、５３ｂの出力電線受容領域５４は硬化第一ポッティング剤６１と隔離している。
【０１３５】
第二部分封止端子ボックス２ｂを使用して、端子ボックス付太陽電池モジュールを製造する場合に、第二ポッティング剤は第二室１３と第一室マージン８６を含む空間に充填する。すなわち、第二室１３を含み内部空間全体を側壁の上端まで充填する。より一層厳密に表現するならば、第二ポッティング剤は、第二室１３に充填すると同時に、尾根部７６が完全に埋没する量を充填する。第一室マージン８６は側壁にとり囲まれているから、第二ポッティング剤が流出することは無い。こうして、尾根部７６を含む端子板の全体が硬化第一ポッティング剤と硬化第二ポッティング剤に封止される。
【０１３６】
＜第三区画端子ボックス４ｃ＞
第三区画端子ボックス４ｃを説明する。
【０１３７】
図１１は第三区画端子ボックス４ｃの説明図であり、図１１（ａ）は延長板設置前の第三区画端子ボックスの斜視図であり、図１１（ｂ）は延長板設置後の第三区画端子ボックス４ｃの斜視図である。図１２は第三区画端子ボックス４ｃの説明図であり、図１２（ａ）は平面図、図１２（ｂ）はＤ−Ｄ平面における断面図、図１２（ｃ）は側面図である。
【０１３８】
第三区画端子ボックス４ｃは、概要を述べれば、端面付着型端子ボックスであって、第一仕切板と延長板からなる仕切手段によって筐体の内部空間を第一室又は第二室に分画した端子ボックスである。
【０１３９】
第三区画端子ボックス４ｃにおける筐体、その構成、端子板の部分、端子板の役割り領域の配置等は第一区画端子ボックス４ａおよび第二区画端子ボックス４ｂにおける筐体などと同一である。第三区画端子ボックス４ｃの説明図にあって、第一区画端子ボックス４ａと同一部材、同一部分に同一符号を付している。
【０１４０】
第三区画端子ボックス４ｃは二個の取り出し端子板５２ｃｌ、５２ｃｒを有する。取り出し端子板５２ｃｌ、５２ｃｒは概略長方形であり、その端から順に長手方向にケーブル接続部６７、出力電線受容領域５４、ダイオード接続部６８がならんでいる。本発明で定義した回路領域は、ケーブル接続部とダイオード接続部を含んでいる。従って、取り出し端子板５２ｃｌ、５２ｃｒはその端から順に長手方向に回路領域５５、出力電線受容領域５４、回路領域５５がならんでいる。
【０１４１】
二個の取り出し端子板５２ｃｌ、５２ｃｒは互いのダイオード接続部６８が対向して配置されている。両者のダイオード接続部６８にダイオード５８の端子部が電気接続されている。端子部は、電極である電線と、ダイオードの一方電極と導通した金属台座である。
【０１４２】
第三区画端子ボックス４ｃは、第一仕切板３１ｃと延長板３６ｃの組からなる仕切手段を４個有している。図１２（ａ）中左側に配置された取り出し端子板５２ｃｌについて、仕切手段（３１ｃと３６ｃの組）は、左側からケーブル接続部６７と出力電線受容領域５４の間に１個、出力電線受容領域５４とダイオード接続部６８の間に１個ある。右側に配置された取り出し端子板５２ｃｒについて、仕切手段（３１ｃと３６ｃの組）は左側からダイオード接続部６８と出力電線受容領域５４の間に１個、出力電線受容領域５４とケーブル接続部６７の間に１個ある。
【０１４３】
筐体の内部空間は、図１２（ａ）中左側から、第一室１４、第二室１３、第一室１４、第二室１３、第一室１４の５区画に分画されている。
【０１４４】
側壁２８に出力電線挿入窓２７ｃが空いている。出力電線挿入窓２７ｃは第二室の位置にある。出力電線挿入窓２７ｃは単一の第二室１３について１箇所ある。
【０１４５】
第一仕切板が筐体の底板と側壁に接触している点、延長板が筐体の側壁に接触している点、延長板が切欠きを有する点、第一仕切板と延長板が嵌合貫通部を形成している点などは、第一区画端子ボックス４ａと同一である。
【０１４６】
第三区画端子ボックス４ｃの第一室１４に第一ポッティング剤を充填し、これを硬化して第三部分封止端子ボックス２ｃとする。
【０１４７】
＜第三部分封止端子ボックス２ｃ＞
図１３は第三部分封止端子ボックス２ｃの説明図であり、図１３（ａ）は平面図、図１３（ｂ）はＥ−Ｅ平面における断面図である。
【０１４８】
第三部分封止端子ボックス２ｃにあって、硬化第一ポッティング剤６１は第一室１４中にあり、取り出し端子板５２ｃｌ、５２ｃｒの回路領域５５と接触している。ダイオード５８は第一室１４中で硬化第一ポッティング剤６１に埋もれて封止されている。図１３（ａ）の平面図にあって、硬化第一ポッティング剤６１に封止された部品、部分などは図示していない。
【０１４９】
取り出し端子板５２ｃｌ、５２ｃｒの出力電線受容領域５４は第二室１３中にある。取り出し端子板５２ｃｌ、５２ｃｒの出力電線受容領域５４は硬化第一ポッティング剤６１と遊離し、隔離している。
【０１５０】
＜第三部分封止端子ボックス付太陽電池モジュール＞
図１４は第三部分封止端子ボックス２ｃと太陽電池モジュールからなる端子ボックス付太陽電池モジュールの製造方法に関し、取り付け接続工程後の第三部分封止端子ボックス２ｃ付太陽電池モジュールの底面図である。図１４にあって、太陽電池モジュール６はその一部（図面にあって下部）を省略して図示している。
【０１５１】
第三部分封止端子ボックス２ｃは太陽電池モジュールの端面６０１に取り付けられている。第三部分封止端子ボックス２ｃはその側壁２８と太陽電池モジュールの端面６０１が対向する配置態様で取り付けられる。
【０１５２】
太陽電池モジュール６から出ている出力電線１０を、出力電線挿入窓２７ｃを通して第二室１３に入れる。出力電線１０を出力電線受容領域５４に半田付で電気接続する。太陽電池モジュール６と第三部分封止端子ボックス２ｃはペースト状の接着剤を使って固着する。
【０１５３】
その後、第二室１３に第二ポッティング剤を充填し、これを硬化して硬化第二ポッティング剤６２とする。第二室１３の側壁２８に開口している出力電線挿入窓２７ｃは、ペースト状の接着剤により塞がれているので、流動状態にある第二ポッティング剤が出力電線挿入窓２７ｃから漏れ出ることは無い。
【０１５４】
＜第四区画端子ボックス４ｄと第四部分封止端子ボックス２ｄなど＞
図１５は第四区画端子ボックス４ｄの説明図であり、図１５（ａ）は平面図、図１５（ｂ）はＦ−Ｆ平面における断面図、図１５（ｃ）は側面図である。
【０１５５】
第四区画端子ボックス４ｄは、概要を述べれば、端面付着型端子ボックスであり、筐体内部空間を分画する第二仕切板７１ｄを有し、端子板５２ｄｌ、５２ｄｒは第二仕切板の上辺を乗り越えている。
【０１５６】
第四区画端子ボックス４ｄにあって、端子板の役割り領域の配置、筐体、その構成などは第三区画端子ボックス４ｃと同じである。また、第二仕切板、その構成、端子板が第二仕切板を乗り越える態様などは第二区画端子ボックス４ｂと同じである。
【０１５７】
第四区画端子ボックス４ｄは二個の取り出し端子板５２ｄｌ、５２ｄｒを有する。取り出し端子板５２ｄｌ、５２ｄｒは概略長方形であり、その端から順に長手方向にケーブル接続部６７、出力電線受容領域５４、ダイオード接続部６８がならんでいる。換言すると、取り出し端子板５２ｄｌ、５２ｄｒはその端から順に長手方向に回路領域５５、出力電線受容領域５４、回路領域５５がならんでいる。
【０１５８】
二個の取り出し端子板５２ｄｌ、５２ｄｒは互いのダイオード接続部６８が対向して配置されている。両者のダイオード接続部６８にダイオード５８が電気接続されている。
【０１５９】
第四区画端子ボックス４ｃは、第二仕切板７１ｄを４個有している。図１２（ａ）中左側に配置された取り出し端子板５２ｄｌについて、第二仕切板７１ｄは、左側からケーブル接続部６７と出力電線受容領域５４の間に１個、出力電線受容領域５４とダイオード接続部６８の間に１個ある。右側に配置された取り出し端子板５２ｄｒについて、第二仕切板７１ｄは左側からダイオード接続部６８と出力電線受容領域５４の間に１個、出力電線受容領域５４とケーブル接続部６７の間に１個ある。
【０１６０】
端子板５２ｄｌ、５２ｄｒは、第二仕切板７１ｄとの交差部分が上を凸に折り曲げられていて、尾根部７６が第二仕切板７１ｄの上辺の上を乗り越えている。端子板５２ｄｌ、５２ｄｒはその尾根部７６で第二仕切板７１ｄと立体交差している。交差部分では端子板５２ｄｌ、５２ｄｒが上に位置し、尾根部７６を形成している。
【０１６１】
筐体の内部空間は、４個の第二仕切板７１ｄにより、図１５（ａ）中、左側から、第一室１４、第二室１３、第一室１４、第二室１３、第一室１４の５区画に分画されている。
【０１６２】
側壁２８に出力電線挿入窓２７ｄが空いている。出力電線挿入窓２７ｄは第二室の位置にある。出力電線挿入窓２７ｄは単一の第二室１３について１箇所ある。
【０１６３】
第二仕切板が筐体の底板と側壁に接触している点などは、第二区画端子ボックス４ｂと同一である。
【０１６４】
第四区画端子ボックス４ｄの第一室１４に第一ポッティング剤を充填、硬化して第四部分封止端子ボックス２ｄとする。
【０１６５】
図１６は第四部分封止端子ボックス２ｄの説明図であり、図１６（ａ）は平面図、図１６（ｂ）はＧ−Ｇ平面における断面図である。
【０１６６】
第四部分封止端子ボックス２ｄにあって、硬化第一ポッティング剤６１は第一室１４中にあり、取り出し端子板５２ｃｌ、５２ｃｒの回路領域５５と接触している。ダイオード５８は第一室１４中で硬化第一ポッティング剤６１に埋もれ封止されている。図１６（ａ）の平面図にあって、硬化第一ポッティング剤６１に封止された部品、部分などは図示していない。
【０１６７】
取り出し端子板５２ｄｌ、５２ｄｒの出力電線受容領域５４は第二室１３中にある。取り出し端子板５２ｄｌ、５２ｄｒの出力電線受容領域５４は硬化第一ポッティング剤６１と遊離し、隔離している。
【０１６８】
第一室１４の上部は、第一ポッティング剤未充填空間である第一室マージン８６である。
【０１６９】
第四部分封止端子ボックス２ｄと太陽電池モジュール６から端子ボックス付太陽電池モジュールを製造する方法は、第三部分封止端子ボックス２ｃと太陽電池モジュールから端子ボックス付太陽電池モジュールを製造する方法と同様である。
【０１７０】
第四部分封止端子ボックス２ｄを使用して、端子ボックス付太陽電池モジュールを製造する場合の第二ポッティング剤は、第二室１３と第一室マージン８６に充填する。これにより、尾根部７６を含む端子板の全体が硬化第一ポッティング剤と硬化第二ポッティング剤に封止される。
【０１７１】
以上、区画端子ボックス、部分封止端子ボックスおよび端子ボックス付太陽電池モジュールの実施の形態や製造方法について図面を参照して詳述してきたが、具体的な構成例はこれらの実施の形態に限られるものではなく、本発明の要旨を逸脱しない範囲の設計変更などがあっても本発明に含まれる。その一例は以下のとおりである。
【０１７２】
本発明にあって筐体１１は平面視四角形に限られず、四角形の４角が曲線であったり、四辺のうちの一辺以上が外側に凸または凹の曲線であったり、平面視円形、楕円形等であったりしてもよい。これらの場合、仕切板の左辺が接する壁面を左側壁、右辺が接する壁面を右側壁とする。
【０１７３】
裏面付着型端子ボックスと端面付着型端子ボックスにあって、端子ボックスが有する中間端子板の個数に制限はない。例えばこれらの端子ボックスが中間端子板を１個、３個、４個有するものでもよい。また例えばこれらの端子ボックスが中間端子板を持たないものでもよい。
【０１７４】
端子ボックスは通常取り出し端子板を２個有する。もっとも取り出し端子板１個を有する端子ボックスであっても本発明に含まれる。
【符号の説明】
【０１７５】
１    端子ボックス付太陽電池モジュール
２    部分封止端子ボックス、２ａ  第一部分封止端子ボックス、２ｂ  第二部分封止端子ボックス、２ｃ  第三部分封止端子ボックス、２ｄ  第四部分封止端子ボックス
３    全体封止端子ボックス
４ａ    第一区画端子ボックス、４ｂ  第二区画端子ボックス、４ｃ  第三区画端子ボックス、４ｂ  第四区画端子ボックス
６    太陽電池モジュール、６０１  端面
７    太陽電池セル
８    太陽電池パネル
９    支持フレーム
１０    出力電線
１１    筐体
１２    内部空間
１３    第二室
１４    第一室
１６    台座
１７    突起
１８    枕
２１    底板、２１１底板の上面
２３    側壁である左側壁
２４    側壁である右側壁
２５    側壁である前側壁
２６    側壁である後側壁
２７ａ、２７ｂ、２７ｃ、２７ｄ    出力電線挿入窓
２８    側壁
３１ａ、３１ｂ    第一仕切板
３２    左辺
３３    右辺
３４    下辺
３５    上辺
３６ａ、３６ｂ    延長板
３７    左辺
３８    右辺
３９    下辺
４０    上辺
４１    溝
４２    境界
４３    篏合貫通部
４４    切欠き
５２、５２ａ、５２ｂ、５２ｃｌ、５２ｃｒ、５２ｄｌ、５２ｄｒ    端子板である取り出し端子板
５３、５３ａ、５３ｂ    端子板である中間端子板
５４    出力電線受容領域
５５    回路領域
５６    放熱板
５７    外部接続用のケーブルであるケーブル
５８    ダイオード
５９    空孔
６１    硬化第一ポッティング剤
６２    硬化第二ポッティング剤
６７    ケーブル接続部
６８    ダイオード接続部
７１ｂ、７１ｄ    第二仕切板
７２    左辺
７３    右辺
７４    下辺
７５    上辺
７６    尾根部
８１    側壁高さ
８２    第二仕切板高さ
８３    尾根部高さ
８４    回路領域の高さ
８５    出力電線受容領域の高さ
８６    第一室マージン
９１    前後を示す矢印、矢が前
９２    左右を示す矢印、矢が左
９３    上下を示す矢印、矢が上
【図１】
2018148761.tif 000003
【図２】
2018148761.tif 000004
【図３】
2018148761.tif 000005
【図４】
2018148761.tif 000006
【図５】
2018148761.tif 000007
【図６】
2018148761.tif 000008
【図７】
2018148761.tif 000009
【図８】
2018148761.tif 000010
【図９】
2018148761.tif 000011
【図１０】
2018148761.tif 000012
【図１１】
2018148761.tif 000013
【図１２】
2018148761.tif 000014
【図１３】
2018148761.tif 000015
【図１４】
2018148761.tif 000016
【図１５】
2018148761.tif 000017
【図１６】
2018148761.tif 000018